(57)【特許請求の範囲】
【請求項１】
入力したＤＭＸ信号に基づいて照明器具の点灯状態を制御する複数の照明制御装置と；
汎用情報ネットワークに適合し、照明器具の点灯状態を制御する制御信号を出力可能な調光装置と；
調光装置から出力された制御信号をＤＭＸ信号に変換するとともに、ＤＭＸ信号のチャンネルを複数の伝送フレームに分割して予め設定された照明制御装置に伝送フレームを出力する信号変換器と；
を具備していることを特徴とする照明制御システム。
【請求項２】
汎用情報ネットワークに適合し、照明器具の点灯状態を制御する制御信号を受信する受信部と；
受信した制御信号をＤＭＸ信号に変換する変換部と；
変換したＤＭＸ信号のチャンネルを複数の伝送フレームに分割し、分割した伝送フレームを入力したＤＭＸ信号に基づいて照明器具の点灯状態を制御する予め設定された複数の照明制御装置にそれぞれ対応させる制御部と；
予め設定された照明制御装置に伝送フレームを出力する伝送部と；
を具備していることを特徴とする信号変換器。
【発明の詳細な説明】
【０００１】
【発明の属する技術分野】
本発明は、汎用情報ネットワークに適合した制御信号を用いて照明器具の点灯状態を制御する照明制御システムおよび信号変換器に関する。
【０００２】
【従来の技術】
照明制御システムは、照明演出を操作するための調光卓および照明器具の各光源を調光制御する照明制御装置を備えている。この照明制御装置は、通常、複数の照明器具の各光源を調光制御している。そして、調光卓から照明制御装置に送信される調光信号は、通常、この種の分野で規格化されているＤＭＸ（Ｄｉｓｉｔａｌ  Ｍｕｌｔｉｐｌｅｘ）信号が用いられている。このＤＭＸ信号は、５１２個のチャンネルを有し、最大５１２個分のデータをシリアルに送信することが可能であるので、大量の光源を個別にしかも同時に制御することが可能である。その一例として、例えば特開平１１−８０７７号公報（従来技術１）に開示されている照明装置を図５に示す。
【０００３】
図５に示す照明装置５０は、調光卓５１あるいは専用コントローラ５２から送信されたＤＭＸ信号がインターフェース５３を介して照明器具５４，…にシリアルに伝送されている。そして、照明器具５４の制御部５５は、シリアルに伝送されたＤＭＸ信号から自己のチャンネルを取出して自己の光源５６，…，５６を調光制御するものである。
【０００４】
ところで、近年、調光卓以外のパソコンなどの各種機器からも照明制御を行うことが提案されており、この場合、例えばイーサネット（登録商標）などの汎用情報ネットワークに適合した制御信号が用いられている。そして、この制御信号の中には、ＤＭＸ信号よりも高速に制御データを送信することができるものもある。
【０００５】
図５に示した照明装置５０の制御部５５のように、通常の照明制御装置は、ＤＭＸ信号のみ受信可能であり、汎用情報ネットワークに適合した制御信号を受信できない。したがって、照明制御システムにおいては、少なくとも照明制御装置までに汎用情報ネットワークに適合した制御信号をＤＭＸ信号に変換する必要がある。ここで、照明制御装置において汎用情報ネットワークに適合した制御信号をＤＭＸ信号に変換すると、照明制御装置同士がシリアルに接続されているので、変換速度の低下が生じて、図５に示す照明装置５０のＤＭＸ信号による調光制御よりも伝送効率が低下してしまうという問題がある。また、照明制御装置の回路基板に汎用情報ネットワークに適合した制御信号をＤＭＸ信号に変換する変換回路を設けると、回路基板が複雑になり、高価になるという問題がある。そこで、図６に示す照明装置５７（従来技術２）のように、調光卓５８と調光盤５９の照明制御装置６０との間に汎用情報ネットワークに適合した制御信号をＤＭＸ信号に変換する変換器６１を設けることが考えられる。
【０００６】
【発明が解決しようとする課題】
従来技術２は、変換器６１から送信されたＤＭＸ信号がシリアルに照明制御装置６０に入力されるので、ＤＭＸ信号よりも高速に制御データを送信可能な汎用情報ネットワークに適合した制御信号の利点が損なわれ、光源に対する調光制御の高速化が阻害されるという欠点を有する。
【０００７】
本発明は上記問題点に鑑みなされたもので、情報ネットワークに適合した制御信号を用いて高速に照明制御を行うことができる照明制御システムおよび信号変換器を提供することを目的とする。
【０００８】
【課題を解決するための手段】
請求項１に記載の照明制御システムの発明は、入力したＤＭＸ信号に基づいて照明器具の点灯状態を制御する複数の照明制御装置と；汎用情報ネットワークに適合し、照明器具の点灯状態を制御する制御信号を出力可能な調光装置と；調光装置から出力された制御信号をＤＭＸ信号に変換するとともに、ＤＭＸ信号のチャンネルを複数の伝送フレームに分割して予め設定された照明制御装置に伝送フレームを出力する信号変換器と；を具備していることを特徴とする。
【０００９】
汎用情報ネットワークに適合した制御信号は、イーサネット（登録商標）などを用いることができる。
【００１０】
本発明によれば、調光装置から出力された汎用情報ネットワークに適合した制御信号は、信号変換器によりＤＭＸ信号に変換され、かつ複数の伝送フレームに分割されて予め設定された照明制御装置に出力されるので、照明器具の点灯状態を制御する制御信号の伝送時間が短縮化される。
【００１１】
請求項２に記載の信号変換器の発明は、汎用情報ネットワークに適合し、照明器具の点灯状態を制御する制御信号を受信する受信部と；受信した制御信号をＤＭＸ信号に変換する変換部と；変換したＤＭＸ信号のチャンネルを複数の伝送フレームに分割し、分割した伝送フレームを入力したＤＭＸ信号に基づいて照明器具の点灯状態を制御する予め設定された複数の照明制御装置にそれぞれ対応させる制御部と；予め設定された照明制御装置に伝送フレームを出力する伝送部と；を具備していることを特徴とする。
【００１２】
本発明によれば、汎用情報ネットワークに適合した制御信号をＤＭＸ信号に変換するとともに、複数の伝送フレームに分割して各伝送フレームを予め設定された照明制御装置に出力可能な信号変換器が提供される。
【００１３】
【発明の実施の形態】
以下、本発明の一実施の形態について、図面を参照して説明する。
【００１４】
図１〜図４は、本発明の実施形態を示し、図１は照明制御システムのブロック図、図２は信号変換器のブロック図、図３は照明制御システムの伝送フレームを示す説明図、図４は照明制御システムの伝送形態を示すフロー図である。
【００１５】
図１において、照明制御システム１は、調光装置２、信号変換器３、照明制御装置４および照明器具５などから構成されている。
【００１６】
調光装置２は、照明器具５の点灯状態を制御するものであり、例えば調光卓などに収容されており、点滅スイッチなどのオンオフ操作やフェーダなどの調光操作等を行うことにより、汎用情報ネットワークに適合した制御信号を出力可能に構成されている。すなわち、オンオフ操作や調光操作等に対する汎用情報ネットワークに適合した制御信号が演算され、この制御信号は演算終了バッファにセットされた後、信号変換器３に出力される。また、照明器具５以外の他の図示しない電気機器にも接続されており、この電気機器を制御可能としている。こうして、調光装置２から信号変換器３に至る伝送路は、イーサネットなどの汎用情報ネットワークに適合されているものである。
【００１７】
信号変換器３は、調光装置２から出力された汎用情報ネットワークに適合した制御信号をＤＭＸ信号に変換して、照明制御装置４に出力するように構成されたものであり、図２に示すように、受信部６、変換部７、制御部８および伝送部９を有している。
【００１８】
受信部６は、調光装置２から出力された汎用情報ネットワークに適合した制御信号を受信して制御部８に伝送するように構成されている。そして、変換部７は、制御部８内に設けられており、受信部６から伝送されてきた汎用情報ネットワークに適合した制御信号をＤＭＸ信号に変換するように構成されている。ここで、ＤＭＸ信号は、５１２チャンネルを有している。
【００１９】
そして、ＤＭＸ信号は、制御部８内に設けられた分割部１０により複数の伝送フレーム、例えば最大４５チャンネルの１２系統の伝送フレームに分割される。すなわち、図３に示すように、チャンネル１（ＣＨ１）〜チャンネル４５（ＣＨ４５）が１系統目の伝送フレーム、チャンネル４６（ＣＨ４６）〜チャンネル９０（ＣＨ９０）が２系統目の伝送フレーム、以下順次分割され、チャンネル４９６（ＣＨ４９６）〜チャンネル５１２（ＣＨ５１２）が１２系統目の伝送フレームに分割される。ここで、ＤＭＸ信号の４５チャンネルは照明制御装置４の処理能力から設定されたものである。したがって、ＤＭＸ信号の分割数は、照明制御装置４の処理能力に応じて適宜設定可能である。また、ＤＭＸ信号の各チャンネルは、モード信号を示すモードデータ、照明器具５のアドレスを示すアドレスデータや光源１３の点滅および調光度合いを示す調光制御データなどの通常の制御データにより構成されている。
【００２０】
また、制御部８は、ＲＡＭおよびＲＯＭに基づき、分割した伝送フレームを予め設定した照明制御装置４に対応させるように構成されている。すなわち、ＲＡＭには、分割した伝送フレームと照明制御装置４の対応関係（割付）が予め格納されており、図３に示したチャンネル１（ＣＨ１）〜チャンネル４５（ＣＨ４５）の伝送フレームが照明制御装置４ａに、チャンネル４６（ＣＨ４６）〜チャンネル９０（ＣＨ９０）の伝送フレームが照明制御装置４ｂに、以下順次対応付けられ、チャンネル４９６（ＣＨ４９６）〜チャンネル５１２（ＣＨ５１２）の伝送フレームが照明制御装置４ｎに伝送されるようにしている。また、ＲＯＭにはプログラムが格納されており、このプログラムにより一連の動作が行われるようにしている。
【００２１】
そして、伝送部９は、各照明制御装置４ａ，４ｂ，…，４ｎにＲＳ−４８５線を介して接続されている。そして、図３に示す分割した１２系統の伝送フレームを予め設定された照明制御装置４にそれぞれ出力するように構成されている。なお、図１において、１系統のＲＳ−４８５線にそれぞれ1つの照明制御装置４ａ，４ｂ，…，４ｎが接続されているが、１系統のＲＳ−４８５線にそれぞれ適宜複数の照明制御装置４が接続されていてもよい。
【００２２】
図１において、照明制御装置４は、調光盤１１内に収容されている。そして、照明制御装置４は、入力したＤＭＸ信号に基づいて調光信号を生成して、照明器具の点灯装置１２に送出するように構成されている。ここで、調光信号は、例えばＰＷＭ制御信号や位相制御信号の他、点滅信号も包含している。また、照明制御装置４には、通常、複数の照明器具５が接続されており、各照明制御装置４は、最大４５個の点灯装置１２に調光信号を送出可能としている。
【００２３】
そして、照明器具５には、点灯装置１２および光源１３が配設されている。点灯装置１２は、照明制御装置４から送出された調光信号に基づいて光源１３を点滅させたり、調光点灯させる。
【００２４】
次に、本発明の実施形態の作用について述べる。
【００２５】
図４は、照明制御システム１の伝送形態のフローを示したものである。調光装置２において、点滅スイッチなどのオンオフ操作やフェーダなどの調光操作等が行われると、汎用情報ネットワークに適合した制御データが演算され、演算終了バッファにセットされる。そして、調光装置２は、演算終了バッファにセットされた汎用情報ネットワークに適合した制御データを制御信号として信号変換器３に送信する。そして、図４に示すように、汎用情報ネットワークに適合した制御信号の送信から信号変換器３の受信部６が当該制御信号の受信を完了した時点が当該制御信号の送信時間である。
【００２６】
信号変換器３は、調光装置２から出力された制御信号の受信が完了すると、変換部７において当該制御信号をＤＭＸ信号に変換し、分割部１０において、図３に示したように、ＤＭＸ信号の５１２チャンネルを１２系統の伝送フレームに分割する。そして、制御部８は、分割した１２系統の伝送フレームを予め設定した対応関係にしたがって照明制御装置４にそれぞれ割付ける。そして、伝送部９は、１２系統の伝送フレームを予め設定された照明制御装置４に同時に出力（送信）する。そして、図４に示すように、伝送フレームの送信から照明制御装置４が当該伝送フレームの受信を完了した時点が伝送フレームの伝送時間であり、この伝送時間は最大ＤＭＸ信号の４５チャンネルが伝送される時間となる。そして、調光装置２から送信された汎用情報ネットワークに適合した制御信号が照明制御装置４に入力されると、制御信号の伝送が完了する。
【００２７】
照明制御装置４は、信号変換器３から出力された伝送フレームの受信が完了すると、この伝送フレームから自己のチャンネルを取出す。そして、図１に示すように、信号変換器３と照明制御装置４ａ，４ｂ，…，４ｎは、それぞれ１系統のＲＳ−４８５線により接続されているので、各照明制御装置４ａ，４ｂ，…，４ｎは、受信した伝送フレームの４５チャンネルを入力する。そして、ＤＭＸ信号の各チャンネルのアドレスデータ、調光制御データ等に基づいて該アドレスデータの照明器具５の点灯装置１２に調光信号を送出して光源１３を点滅または調光させる。すなわち、照明器具５の点灯状態を制御させる。
【００２８】
上述したように、調光装置２から出力された汎用情報ネットワークに適合した制御信号は、信号変換器３によりＤＭＸ信号に変換されて、最大４５チャンネルを有する１２系統の伝送フレームに分割されて、対応する照明制御装置４に同時に出力される。したがって、最大５１２チャンネルを有する伝送フレームをシリアルに照明制御装置４に送信する場合に比べて、最大４５チャンネルの伝送時間であるので、１系統のＲＳ−４８５線を介して伝送される伝送量が約１／１０となるために、その伝送時間が大幅に短縮され、高速に伝送可能な汎用情報ネットワークに適合した制御信号による制御の利点を活かすことができる。
【００２９】
そして、信号変換器３は、汎用情報ネットワークに適合した制御信号をＤＭＸ信号に変換するとともに、当該制御信号によるＤＭＸ信号を分割して予め設定された照明制御装置４に受信させることができる。
【００３０】
【発明の効果】
請求項１の発明によれば、調光装置から出力された汎用情報ネットワークに適合した制御信号は、信号変換器によりＤＭＸ信号に変換され、かつ複数の伝送フレームに分割されて予め設定された照明制御装置に出力されるので、照明器具の点灯状態を制御する制御信号の伝送時間を短縮化することができる。
【００３１】
請求項２の発明によれば、汎用情報ネットワークに適合した制御信号をＤＭＸ信号に変換するとともに、複数の伝送フレームに分割して各伝送フレームを予め設定された照明制御装置に出力可能な信号変換器を提供することができる。
【図面の簡単な説明】
【図１】本発明の実施形態を示す照明制御システムのブロック図。
【図２】同じく、信号変換器のブロック図。
【図３】同じく、照明制御システムの伝送フレームを示す説明図。
【図４】同じく、照明制御システムの伝送形態のフロー図。
【図５】従来技術１の照明装置のブロック図。
【図６】従来技術２の照明装置のブロック図。
【符号の説明】
１……照明制御システム
２……調光装置
３……信号変換器
４……照明制御装置
６……受信部
７……変換部
８……制御部
９……伝送部
【図１】
0004029319.tif 000002
【図２】
0004029319.tif 000003
【図３】
0004029319.tif 000004
【図４】
0004029319.tif 000005
【図５】
0004029319.tif 000006
【図６】
0004029319.tif 000007